(57)【要約】【課題】  温度変化に対して安定した特性を有し、簡素な構造を具備したクラッチユニットを提供する。【解決手段】  静止系部材５，６，７と、駆動源により回転駆動される入力系回転部材１と、入力系回転部材１から伝えられたトルクを外部へ取り出すための出力系回転部材２と、入力系回転部材１と出力系回転部材２との間に介在し、これら両回転部材１，２と選択的に係合・離脱可能なトルク伝達部材３とを備えたクラッチユニットにおいて、前記静止系部材５，６，７に対する相対角度変位を通じて、トルク伝達部材３を軸方向に移動させることによりトルク伝達部材３と出力系回転部材２との係合・離脱を制御するカム機構４を、前記静止系部材５に弾性部材２２により押圧された固定カム１６と、その固定カム１６と軸方向にカム面２３で嵌合可能で、かつ、前記入力系回転部材１からのトルクにより軸方向に変位可能な可動カム１７とで構成する。【選択図】    図１
2005172141.tif 000002
【特許請求の範囲】
【請求項１】
静止系部材と、駆動源により回転駆動される入力系回転部材と、入力系回転部材から伝えられたトルクを外部へ取り出すための出力系回転部材と、入力系回転部材と出力系回転部材との間に介在し、これら両回転部材と選択的に係合・離脱可能なトルク伝達部材とを備えたクラッチユニットにおいて、
前記静止系部材に対する相対角度変位を通じて、トルク伝達部材を軸方向に移動させることによりトルク伝達部材と出力系回転部材との係合・離脱を制御するカム機構を、前記静止系部材に弾性部材により押圧された固定カムと、その固定カムとの軸方向嵌合により前記トルク伝達部材を軸方向に移動させる可動カムとで構成したことを特徴とするクラッチユニット。
【請求項２】
前記弾性部材は、固定カムを静止系部材に押圧することにより、その固定カムと静止系部材との間で摩擦抵抗を発生させる波ばねである請求項１に記載のクラッチユニット。
【請求項３】
前記固定カムと可動カムは、その軸方向に嵌合可能な傾斜面と、中立状態で相手側に接触する平坦面とが周方向に形成されたカム面を有する請求項１又は２に記載のクラッチユニット。
【請求項４】
前記固定カムと可動カムは、相互に平坦面が接触する中立状態で周方向のガタを設けた請求項３に記載のクラッチユニット。
【請求項５】
前記固定カムまたは可動カムの少なくともいずれか一方が、焼結または樹脂で成形されている請求項１乃至４のいずれか一項に記載のクラッチユニット。
【請求項６】
前記入力系回転部材を駆動モータに連結し、かつ、出力系回転部材をドアスライド機構に連結することにより電動スライドドア装置に組み込まれている請求項１乃至５のいずれか一項に記載のクラッチユニット。
【発明の詳細な説明】
【技術分野】
【０００１】
本発明は、例えば自動車のパワーウィンドウ、ワンボックスカーにおける電動スライドドア、電動バックドアや、電動カーテン、電動シャッター等の開閉機構に利用され、駆動源の作動時は入力系から出力系へトルクを伝達し、駆動源の停止時はトルクの伝達を遮断して出力系の手動操作を可能にするクラッチユニットに関する。
【背景技術】
【０００２】
例えば自動車（ワンボックスカー）の電動スライドドア装置では、駆動モータとドアの連結または非連結を機械式クラッチにより行なうものがある。駆動モータの回転時には、その駆動モータの回転をウォームギヤで減速し、さらにクラッチを介して伝達することにより、駆動モータとドアを連結して電動によるドアの開閉操作を可能にしている。
【０００３】
また、この電動スライドドア装置では、ウォームギヤの減速比が一般に大きいため、駆動モータの停止状態で手動による開閉操作を可能にするために、ウォームギヤ減速機構と出力軸の間に前記クラッチを介在させ、駆動モータの停止時、駆動モータとドアを非連結とすることにより、出力軸側からの手動入力、つまり、手動によるドアの開閉操作を可能にしている。
【０００４】
この種、電動スライドドア装置に組み込まれた機械式クラッチでは、粘性流体の剪断抵抗を利用したものがある（例えば特許文献１参照）。
【０００５】
この特許文献１では、粘性流体を有するカム部材を用いてドグクラッチの入り切りを作動させるタイプのクラッチが開示されている。このクラッチは、入力軸（モータ側）の回転数に応じて粘性流体であるシリコンオイルの回転抵抗を増加させ、中立ばねを上回る回転抵抗となった時、その回転抵抗力によってカム部材が軸方向に変位し、ドグクラッチを連結させる。逆に、モータが停止すると前記回転抵抗がなくなるため、内部ばね部材によってドグクラッチの連結が軸方向に解除されるようになっている。
【特許文献１】特開平９−３０３４２８号公報
【発明の開示】
【発明が解決しようとする課題】
【０００６】
ところで、前述した特許文献１に開示されたクラッチユニットでは、粘性流体であるシリコンオイルの剪断抵抗を利用しているために、次のような問題があった。つまり、トルクが出力側部材に伝達されるまでの応答性が悪く、使用環境温度の変化による粘性抵抗変化によって起こる噛合い不良が発生するおそれがあり、粘性流体の漏れなどによる初期機能の劣化が発生するおそれがある。
【０００７】
特に、温度上昇により粘度が低下し、モータが回転しても所定の回転抵抗に達せず、その結果、高温時にはドグクラッチの噛合う軸力が不足し、噛合い不良（ギヤ鳴り）したり、最悪の場合、クラッチがロックしないおそれがあった。また、回転抵抗の不足を防止するため、粘性が大きいシリコンオイルを使用することも考えられるが、常温または低温時での回転抵抗が大きくなり、モータ駆動でのロスが大きく、モータを大型化しなければならないという問題が発生する。さらに、高粘度のシリコンオイルは封入に時間がかかり作業性が悪く、また、圧力変化によるシール性を保つため、シール内空間でのオイル量と空気量の封入量の管理が必要であり、コスト的にも高価となっていた。
【０００８】
そこで、本発明は、粘性流体の剪断抵抗による前記問題点を改善し、簡素な構造により、温度変化に対して安定した特性を発揮し得るクラッチユニットを提供することを目的とする。
【課題を解決するための手段】
【０００９】
前記目的を達成するための技術的手段として、本発明は、静止系部材と、駆動源により回転駆動される入力系回転部材と、入力系回転部材から伝えられたトルクを外部へ取り出すための出力系回転部材と、入力系回転部材と出力系回転部材との間に介在し、これら両回転部材と選択的に係合・離脱可能なトルク伝達部材とを備えたクラッチユニットにおいて、前記静止系部材に対する相対角度変位を通じて、トルク伝達部材を軸方向に移動させることによりトルク伝達部材と出力系回転部材との係合・離脱を制御するカム機構を、前記静止系部材に弾性部材により押圧された固定カムと、その固定カムとの軸方向嵌合により前記トルク伝達部材を軸方向に移動させる可動カムとで構成したことを特徴とする。
【００１０】
本発明に係るクラッチユニットでは、トルク伝達部材を軸方向に移動させることによりトルク伝達部材と出力系回転部材との係合・離脱を制御するカム機構を具備するが、そのカム機構を、静止系部材に弾性部材により押圧された固定カムと、その固定カムとの軸方向嵌合により前記トルク伝達部材を軸方向に移動させる可動カムとで構成する。
【００１１】
前述の固定カムは、弾性部材により静止系部材に押圧されることにより、その静止系部材との間に摩擦抵抗を発生させ、その摩擦抵抗を利用して固定カムと嵌合する可動カムを軸方向に変位させ、入力系回転部材を出力系回転部材に係合させて入力系回転部材からのトルクを出力系回転部材に伝達する。
【００１２】
このように固定カムを静止系部材に押圧する弾性部材による摩擦抵抗を利用することにより、従来のような粘性流体の剪断抵抗による問題点を改善することができ、簡素な構造で、トルク伝達部材が出力系回転部材に係合する軸力を確保し、温度変化に対して安定した特性を発揮させることができる。
【００１３】
本発明のクラッチユニットは、前記入力系回転部材が駆動モータに連結され、かつ、出力系回転部材がドアスライド機構に連結されることにより電動スライドドア装置に組み込んで適用することが可能である。この場合、トルク伝達部材と出力系回転部材との係合・離脱を制御することにより、駆動モータとスライドドアの連結時、電動による開閉操作が可能となり、駆動モータとスライドドアの非連結時、手動による開閉操作が可能となる。
【００１４】
前述の構成における弾性部材としては、固定カムを静止系部材に押圧することにより、その固定カムと静止系部材との間で摩擦抵抗を発生させる波ばねが好適である。弾性部材として波ばねを用いることにより、固定カムと静止系部材との間で摩擦抵抗を発生させる手段として簡易な構造のものが実現できる。
【００１５】
前述の構成において、固定カムと可動カムは、その軸方向に嵌合可能な傾斜面と、中立状態で相手側に接触する平坦面とが周方向に形成されたカム面を有し、さらに、相互に平坦面が接触する中立状態で周方向のガタを設けた構造とすることが望ましい。トルク伝達部材と出力系回転部材とを係合状態から離脱させる際、入力系回転部材を反転動作させることにより、固定カムに対して軸方向に移動していた可動カムを中立状態に復帰させる。この中立状態で設けられた周方向のガタにより、入力系回転部材の反転動作を許容することができるので、出力系回転部材が反転駆動することはない。
【００１６】
なお、前述の構成における固定カムまたは可動カムの少なくともいずれか一方が、焼結または樹脂で成形されていることが望ましい。このように固定カムまたは可動カムの少なくともいずれか一方を焼結または樹脂で成形することにより、構成部品を安価に製作することができるので、製品のコスト低減が図れる。
【発明の効果】
【００１７】
本発明によれば、トルク伝達部材と出力系回転部材との係合・離脱を制御するカム機構を、前記静止系部材に弾性部材により押圧された固定カムと、その固定カムとの軸方向嵌合により前記トルク伝達部材を軸方向に移動させる可動カムとで構成したことにより、固定カムを静止系部材に押圧する弾性部材による摩擦抵抗を利用することで、従来のような粘性流体の剪断抵抗による問題点を改善することができ、簡素な構造のクラッチユニットにより、温度変化に対して安定した特性を発揮させることができて確実なクラッチ機能を維持できる。その結果、製品のコスト低減化および信頼性の向上が図れる。
【発明を実施するための最良の形態】
【００１８】
図１（ａ）（ｂ）に示す実施形態のクラッチユニットは、モータ等の駆動源によって回転駆動される入力系回転部材である入力外輪１と、その入力外輪１から伝えられるトルクを外部へ取り出すための出力系回転部材である出力軸２と、入力外輪１と出力軸２との間に介在し、その出力軸２と選択的に係合・離脱可能なトルク伝達部材であるクラッチリング３と、そのクラッチリング３と出力軸２との係合・離脱を制御するカム機構４とを具備している。
【００１９】
これら入力外輪１、出力軸２、クラッチリング３およびカム機構４からなる各構成部品は、静止系部材であるハウジング７に収容され、各構成部品を収容したハウジング７を中間側板６を介して取付側板５に装着することにより一体化している。このクラッチユニットを電動スライドドア装置に組み込む場合、入力外輪１は駆動源である駆動モータに連結され、出力軸２はスライドドアを開閉動作させるスライド機構に連結され、前述の取付側板５をボルト止め等により電動スライドドア装置の固定部位に装着される。
【００２０】
入力外輪１はおおむね中空円筒形を呈し、その外周にウォームホイール８が形成されている。このウォームホイール８は駆動モータ（図示せず）により回転駆動されるウォーム（図示せず）と噛み合ってウォームギヤを構成する。ハウジング７の周方向一部には、切り欠き状の窓穴９が形成されており、この窓穴９で前述のウォームホイール８とウォームが噛み合っている。なお、駆動モータのような駆動源と入力外輪１との間の動力伝達機構としては、図面に例示した歯車のほか巻掛伝動装置等を採用することも可能である。
【００２１】
出力軸２は、入力外輪１に内嵌された大径部、ハウジング７の端部に内嵌された中間径部およびハウジング７から突出して前述のスライド機構に連結される小径部からなり、入力外輪１およびハウジング７に回転自在に支承されている。この出力軸２の大径部のクラッチリング３と対向する端面には、ドグ１０が突設されている（図２参照）。なお、図２では、出力軸２に四個のドグ１０を円周方向等間隔に配設した場合を例示している。
【００２２】
一方、クラッチリング３は、入力外輪１に対して軸方向にスライド可能で、かつ、相対回転不可能に装着されている。つまり、図３（ａ）に示すように外輪１の内径には、軸方向に沿う凹溝１１が円周方向等間隔に形成されており、これに対応させてクラッチリング３の外径には、凹溝１１に嵌合する突条１２が軸方向に沿って円周方向等間隔に形成されている。このクラッチリング３の出力軸２と対向する端面には、ドグ１３が突設されており、前述の出力軸２のドグ１０とでドグクラッチが形成される（図２参照）。なお、図２では、クラッチリング３に四個のドグ１３を円周方向等間隔に配設した場合を例示している。
【００２３】
クラッチリング３が軸方向に沿って出力軸２と近接する側へ移動してクラッチリング３のドグ１３が出力軸２のドグ１０と噛み合うと、両者は回転方向に一体化してトルクが伝達される。また、両者の噛み合い状態から、クラッチリング３が軸方向に沿って出力軸２から離間する側へ移動してクラッチリング３のドグ１３が出力軸２のドグ１０から離脱すると、両者は分離されてトルクが遮断される。
【００２４】
出力軸２とクラッチリング３との間には圧縮コイルばね１４（以下、単に第１ばねと称す）が介在して両者を互いに離間する向きに弾圧している。この第１ばね１４の弾性力により、駆動モータが停止している時はクラッチリング３と出力軸２が噛み合わないようになっている。前述の第１ばね１４によりクラッチリング３と出力軸２を離間させる付勢力は、入力外輪１の内径の軸方向略中央部位に装着された止め輪１５により止められ、クラッチリング３が出力軸２から離間する移動量が規制される。
【００２５】
このクラッチリング３を挟んで出力軸２と反対側に配置されたカム機構４は、固定カム１６と可動カム１７とで構成されている。なお、この可動カム１７と前述のクラッチリング３との間には、それら両者を互いに離間させる向きに弾性力を付勢する圧縮コイルばね１８（以下、単に第２ばねと称す）が介設されている。また、前述の出力軸２、クラッチリング３および可動カム１７の三者は、その中心に嵌挿された支持軸１９にスライド自在に同軸配置されている。
【００２６】
可動カム１７は、入力外輪１に対して軸方向にスライド可能で、かつ、相対回転不可能に装着されている。つまり、図３（ｂ）に示すように入力外輪１の内径に円周方向等間隔で軸方向に沿って形成された前述の凹溝１１に対応させて、可動カム１７の外径には、その凹溝１１に嵌合する突条２０が軸方向に沿って円周方向等間隔に形成されている。この可動カム１７の固定カム１６と対向する端面には、図４（ａ）（ｂ）および図６に示すようにその端面から凸設された傾斜面２１ａと平坦面２１ｂからなり、かつ、固定カム１６と軸方向で嵌合可能なカム面２１が形成されている。
【００２７】
これに対して、固定カム１６は、その軸方向端部にフランジ部を有し、そのフランジ部と中間側板６の内径端部との間に弾性部材である波ばね２２が介設されている（図１参照）。この波ばね２２の弾性力により、固定カム１６を静止系の取付側板５に押圧し、固定カム１６の端面と取付側板５との間に摩擦抵抗が発生するようにしている。この固定カム１６の可動カム１７と対向する端面には、図５（ａ）（ｂ）および図６に示すようにその端面から凹設された傾斜面２３ａと平坦面２３ｂからなり、かつ、可動カム１７と軸方向で嵌合可能なカム面２３が形成されている。
【００２８】
前述の可動カム１７の傾斜面２１ａと固定カム１６の傾斜面２３ａとが軸方向に嵌合すると、固定カム１６に対して可動カム１７が軸方向に沿ってクラッチリング３に近接する側へ移動する。このクラッチリング３の軸方向移動により、可動カム１７とクラッチリング３間の第２ばね１８に弾性力が蓄積され、クラッチリング３と出力軸２間の第１ばね１４の弾性力に打ち勝つと、クラッチリング３が軸方向に沿って出力軸２に近接する側へ移動する。このクラッチリング３の軸方向移動により、クラッチリング３のドグ１３と出力軸２のドグ１０が噛み合うことになる。
【００２９】
前述の構成からなる実施形態のクラッチユニットの動作例を以下に詳述する。
【００３０】
駆動モータが停止している時、固定カム１６と可動カム１７は、それぞれの平坦面２３ｂ，２１ｂが接する位相にある中立状態であることから（図６参照）、可動カム１７は、第２ばね１８の弾性力により固定カム１６に接する状態にある。また、クラッチリング３は、第１ばね１４の弾性力により出力軸２から離間する方向に付勢され、ハウジング７の内径に配置された止め輪１５により出力軸２のドグ１０から離脱した位置で規制されている。このようにして、クラッチリング３のドグ１３と出力軸２のドグ１０とが噛み合わない状態となっているため、出力軸２はその出力軸側からフリーで回転可能な状態であり、ドアを手動にて自由に開閉することができる。
【００３１】
一方、駆動モータが回転すると、ウォームギヤを介して入力外輪１が回転し始め、駆動モータの回転力は、ウォームギヤにより入力外輪１に減速伝達される。可動カム１７は、入力外輪１に凹溝１１および突条２０により凹凸嵌合していることにより回転方向に規制されていることから、入力外輪１に伴って回転する。これに対して、固定カム１６は、回転方向に固定した状態にあるため、前述の可動カム１７は、固定カム１６と嵌合するカム面２１、つまり、傾斜面２１ａに沿って回転し、その回転により軸方向に沿って出力軸側へ移動する。この可動カム１７の軸方向移動により、クラッチリング３との間の第２ばね１８が軸方向に圧縮させれてその弾性力が蓄積される。その圧縮力がクラッチリング３と出力軸２間の第１ばね１４の弾性力に打ち勝つと、クラッチリング３が軸方向に移動して出力軸２に近接する（図７参照）。
【００３２】
このクラッチリング３も、可動カム１７と同様、入力外輪１に凹溝１１および突条１２により凹凸嵌合していることにより回転方向に規制されていることから、入力外輪１に伴って回転する。従って、クラッチリング３の回転および軸方向移動により、クラッチリング３のドグ１３と出力軸２のドグ１０との噛み合い位相が合致したところでクラッチリング３が出力軸２に噛み合う。これにより、入力外輪１の回転トルクがクラッチリング３を介して出力軸２に伝達され、ドアを電動で開閉することができる。
【００３３】
この時、前述したように可動カム１７は入力外輪１に伴って回転し、固定カム１６は可動カム１７から回転力を受けて同一回転するが、静止系である取付側板５から波ばね２２の押圧による摩擦抵抗を受けるため、その摩擦抵抗により可動カム１７に軸力を伝えている。なお、固定カム１６と取付側板５との間を含む摩擦摺動部位には、グリース等の潤滑剤が適宜封入されている。
【００３４】
なお、駆動モータの回転時、クラッチリング３のドグ１３と出力軸２のドグ１０が同位相であった場合には、両者のドグ同士が接触し、クラッチリング３と出力軸２が嵌合せずに出力軸２を回転駆動しないことになるが、出力軸２には負荷が加わっているためにその出力軸２は回転しない。しかしながら、駆動モータがそのまま回転を続けると、入力外輪１および可動カム１７が出力軸２に対して回転位相が進むので、クラッチリング３のドグ１３と出力軸２のドグ１０の噛み合い位相が合致したところで、弾性力が蓄積された第２ばね１８の弾性力により、クラッチリング３が軸方向に瞬時に移動し、クラッチリング３と出力軸２が噛み合うことになる。
【００３５】
次に、駆動モータをその回転状態から停止させた時、クラッチリング３と出力軸２が噛み合った状態にある。この状態では、出力軸２をフリーな状態で回転させることができないので、前述した駆動モータの回転方向と逆向きにその駆動モータを回転させるようにすればよい。つまり、クラッチリング３と出力軸２が噛み合っている状態では、図８の破線で示すように可動カム１７と固定カム１６の傾斜面２１ａと２３ａ同士が接合し、可動カム１７の平坦面２１ｂが固定カム１６の平坦面２３ｂから離間した状態となっている。この状態から駆動モータを反転させると、可動カム１７の平坦面２１ｂが固定カム１６の平坦面２３ｂに接触する状態（図８の実線参照）に移行させることができる。
【００３６】
この時の駆動モータの反転角度は、可動カム１７の平坦面２１ｂが固定カム１６から離間した状態での可動カム１７の固定カム１６に対する位相から、図８の実線で示すように可動カム１７の平坦面２１ｂが固定カム１６に接触する状態となる位相までの回転角αでよいため、その駆動モータの反転角度は予め設定可能である。なお、この駆動モータの反転時、可動カム１７の平坦面２１ｂが接触する固定カム１６の平坦面２３ｂを、可動カム１７の平坦面２１ｂの周方向寸法よりも大きくすることによりガタβを設けているので、入力外輪１の反転動作を許容することができ、出力軸２が反転駆動することはない。
【００３７】
以上のようなクラッチユニットを自動車の電動スライドドアのドア駆動部に設置することで、車内のスイッチにより電動モードが選択されていると、電動でドアを動かす時は駆動モータの回転によって、クラッチユニットを介してドアの開閉が可能であり、手でドアノブを開ければそれを感知することでモータ駆動によるドアの開閉が可能である。
【００３８】
一方、車内のスイッチにより手動モードが選択されていれば、駆動モータを回転させなければクラッチユニットの出力軸２はフリーに回転するため、駆動モータを引き摺ることなく、手動でも楽に開閉することができる。また、出力軸２にポテンショメータを装着すれば、半ドア状態であってもドアの位置を感知でき、電動モードに切り替えれば、駆動モータによる開閉が可能である。
【００３９】
なお、前述の実施形態では、クラッチリング３と出力軸２の軸方向対向面にドグ１３，１０をそれぞれ設けてドグクラッチを形成しているが、スプライン嵌合のようにクラッチリング３と出力軸２の内径および外径にギヤを形成したものでもよい。また、カム機構４を構成する固定カム１６と可動カム１７のそれぞれのカム面２３，２１は複雑な形状となるため、それら固定カム１６および可動カム１７は、冷間鍛造、焼結、樹脂などで成形することが望ましい。
【産業上の利用可能性】
【００４０】
前述の実施形態では、ワンボックスカーにおける電動スライドドア装置にクラッチユニットを組み込んだ場合について説明したが、本発明は、駆動モータから減速機を介して負荷を駆動する装置、例えば自動車のパワーウィンドウ、電動バックドアや、電動カーテン、電動シャッター等の開閉機構において、電動と手動を切り替える仕様の装置に適用可能である。
【図面の簡単な説明】
【００４１】
【図１】本発明の実施形態で、（ａ）はクラッチユニットを示す断面図、（ｂ）は（ａ）の右側面図である。
【図２】図１のクラッチリングと出力軸を示す斜視図である。
【図３】（ａ）は図１のＡ−Ａ線に沿う断面図、（ｂ）は図１のＢ−Ｂ線に沿う断面図である。
【図４】（ａ）は図１のカム機構を構成する可動カムを示す左側面図、（ｂ）は（ａ）のＣ−Ｃ線に沿う断面図である。
【図５】（ａ）は図１のカム機構を構成する固定カムを示す右側面図、（ｂ）は（ａ）のＤ−Ｄ線に沿う断面図である。
【図６】図４の可動カムと図５の固定カムが嵌合した状態を示す断面図である。
【図７】クラッチユニットの各構成部品の動作を説明するための断面図である。
【図８】固定カムに対する可動カムの嵌合状態を説明するための断面図である。
【符号の説明】
【００４２】
１  入力系回転部材（入力外輪）
２  出力系回転部材（出力軸）
３  トルク伝達部材（クラッチリング）
４  カム機構
７  静止系部材（ハウジング）
１６  固定カム
１７  可動カム
２１，２３  カム面
２２  弾性部材（波ばね）
【図１】
2005172141.tif 000003
【図２】
2005172141.tif 000004
【図３】
2005172141.tif 000005
【図４】
2005172141.tif 000006
【図５】
2005172141.tif 000007
【図６】
2005172141.tif 000008
【図７】
2005172141.tif 000009
【図８】
2005172141.tif 000010